(57)【要約】【課題】製本様式を選ばず、また書棚での管理が容易であり、しかも価格的な観点から実使用が可能なＩＣタグ付き本を提供すること。【解決手段】製本した本の背の外側上部にＩＣタグ又はインレットを貼り付けるか、或いは、カバーやケースにおける背の上部の表裏いずれかにＩＣタグ又はインレットを貼り付ける。種々ある製本様式を問わず、いかなる製本様式の本に対しても適用することができる。しかも、大量生産による安価なＩＣタグ又はインレットを単に貼着するだけであるので、コスト的に見ても実使用が可能である。ＩＣタグ用又はインレットとして透明なものを用いることにより、本やカバーやケースの外側に貼着しても目立たないという利点もある。ＩＣタグ又はインレットを背の上部に取り付けてあることにより、書棚での管理を行う際に、ハンディタイプのリーダ／ライタで本の上部近辺をなぞるようにして、データの遣り取りを容易かつ確実に行うことができる。【選択図】図１
2006305738.tif 000002
【特許請求の範囲】
【請求項１】
綴じ側である背の上部外側にＩＣタグ又はインレットを貼着したことを特徴とするＩＣタグ付き本。
【請求項２】
カバーを有する本であって、そのカバーにおける背の上部の表裏いずれかにＩＣタグ又はインレットを貼着したことを特徴とするＩＣタグ付き本。
【請求項３】
ケースを有する本であって、そのケースにおける背の上部の表裏いずれかにＩＣタグ又はインレットを貼着したことを特徴とするＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしている。しかしながら、いずれも背側の接着剤を利用してＩＣタグを取り付けるようになっているため、上製本のような背に接着剤を使用するタイプの本にしか取り付けることができず、雑誌等の形態で大量に流通する中綴じ本などには適用できないという問題点がある。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このインレットを用いてタグ化することで、各種用途に応じた形態のＩＣタグを製造することができるようになっており、ＩＣタグの普及を図る上においてこの小さくて安価なインレットを利用することが望ましいという背景がある。
【０００６】
本発明は、上記のような問題点や事情に鑑みてなされたものであり、その目的とするところは、製本様式を選ばず、また書棚での管理が容易であり、しかも価格的な観点から実使用が可能なＩＣタグ付き本を提供することにある。
【課題を解決するための手段】
【０００７】
請求項１に記載の発明であるＩＣタグ付き本は、綴じ側である背の上部外側にＩＣタグ又はインレットを貼着したことを特徴としている。
【０００８】
請求項２に記載の発明であるＩＣタグ付き本は、カバーを有する本であって、そのカバーにおける背の上部の表裏いずれかにＩＣタグ又はインレットを貼着したことを特徴としている。
【０００９】
請求項３に記載の発明であるＩＣタグ付き本は、ケースを有する本であって、そのケースにおける背の上部の表裏いずれかにＩＣタグ又はインレットを貼着したことを特徴としている。
【発明の効果】
【００１０】
本発明のＩＣタグ付き本は、製本した本の背の外側上部にＩＣタグ又はインレットを貼り付けるか、或いは、カバーやケースにおける背の上部の表裏いずれかにＩＣタグ又はインレットを貼り付けるだけでよいので、種々ある製本様式を問わず、いかなる製本様式の本に対しても適用することができる。しかも、大量生産による安価なＩＣタグ又はインレットを単に貼着するだけであるので、コスト的に見ても実使用が可能である。また、ＩＣタグ又はインレットとして透明なものを用いることにより、本やカバーやケースの外側に貼着しても目立たないという利点もある。そして、ＩＣタグ又はインレットを背の上部に取り付けてあることにより、書棚等での管理を行う際に、ハンディタイプのリーダ／ライタで本の上部近辺をなぞるようにして、データの遣り取りを容易かつ確実に行うことができ、また、ＩＣタグ又はインレットの部分が本を載置する棚板から上方に離れた所に位置するので、特に書棚が電磁波に影響を与える金属製の場合に、その金属の影響を受けにくいという利点がある。
【発明を実施するための最良の形態】
【００１１】
以下、具体例を挙げて本発明の実施の形態について説明する。
【００１２】
図１は本発明に係るＩＣタグ付き本の一例を示す斜視図、図２は図１の変形例を示す斜視図である。
【００１３】
これらのＩＣタグ付き本は、平綴じ本１に適用したもので、その綴じ側である背の上部外側に透明シール状のインレット１０が貼着されている。図を見れば分かるように、図１の平綴じ本１ではインレット１０が横向きに貼着されており、図２の平綴じ本１では縦向きに貼着されている。これらのインレット１０はいずれも製本の最終ラインでシーラーにより貼り付けられる。
【００１４】
インレット１０としては、図３に示すようなものが使用される。このインレット１０は、０．１〜１ｍｍ角の小さなＩＣチップ１１を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。この外部アンテナ１２付きのＩＣチップ１１は、アンテナ内蔵型のＩＣチップを用いたものよりは通信距離が長く、広い範囲で用いることができるものである。なお、本発明で使用するインレットは特に限定されるものでなく、種々のタイプのものが使用可能である。
【００１５】
このようなインレット１０は、印刷技術によりアンテナを作製することと、超音波接合技術により安価なフィルム素材を利用することで、大量生産でき、安価に供給することができる。
【００１６】
このテープ状のインレット１０をロール状に巻き取った状態とし、製本の最終ラインで、既存のシーラーにより、順次繰り出しながら裁断しつつ、一個一個のインレットを順次平綴じ本１における背の上部外側に貼り付けるようにする。
【００１７】
そして、ベースフィルム１３に透明フィルムを用い、外部アンテナ１２を透明インキで形成することにより、インレット１０は、小さなＩＣチップ１１以外の部分が透明となり、貼着状態で殆ど目立たないものになる。
【００１８】
図４は本発明に係るＩＣタグ付き本の他の例を示す斜視図であり、このＩＣタグ付き本は、かがり綴じ方式の上製本２に適用したもので、その綴じ側である背の上部外側に透明シール状のインレット１０が貼着されている。この上製本２ではインレット１０が横向きに貼着されているが、もちろん縦向きでも構わない。
【００１９】
このように、本発明のＩＣタグ付き本は、製本した本の背の上部外側にインレット１０を貼り付けるだけの構成であるので、上記した平綴じ本１、かがり綴じ方式の上製本２の他にも、中綴じ、無線綴じ、アジロ綴じ、或いは並製本、その他の上製本と種々ある製本様式を問わず、いかなる製本様式の本に対しても適用することができる。そして、インレット１０の貼着は、現状行われている製本ラインにシール貼り機を増設することにより実施可能である。
【００２０】
図５と図６はそれぞれ本発明に係るＩＣタグ付き本の別タイプの一例を示す斜視図である。
【００２１】
図５に示したＩＣタグ付き本は、カバー３を有するかがり綴じ方式の上製本２であって、そのカバー３における背の上部の表側に透明シール状のインレット１０を貼着したものである。このＩＣタグ付き本では、そのカバー３における背の上部の表側にインレット１０が横向きに貼着されているが、もちろん縦向きでも構わない。また、カバー３の上部でさえあれば裏側でも構わない。裏側に貼着する場合は、外から見えないので、敢えて透明なＩＣタグインレットを使用しなくてもよい。このタイプのＩＣタグ付き本は、インレット１０を予めカバー３の表裏いずれかに取り付けておくようする。
【００２２】
図６に示したＩＣタグ付き本は、ケース４を有するかがり綴じ方式の上製本２であって、そのケース４における背の上部の表側に透明シール状のインレット１０を貼着したものである。このＩＣタグ付き本では、そのケース４における背の上部の表側にインレット１０が横向きに貼着されているが、もちろん縦向きでも構わない。また、ケース４の上部でさえあれば裏側でも構わない。裏側に貼着する場合は、外から見えないので、敢えて透明なＩＣタグインレットを使用しなくてもよい。このタイプのＩＣタグ付き本は、インレット１０を予めケース４の表裏いずれかに取り付けておくようする。
【００２３】
また、本発明のＩＣタグ付き本は、上記で説明したようなインレットを貼着するものの他に、ＩＣタグそのものを貼着するようにしてもよいものである。
【００２４】
書籍、雑誌等の本は、書棚に立てて並べた状態で管理する場合、ハンディタイプのリーダ／ライタを使用することを考えると、背の上部が斜め上部からリーダ／ライタを一番当てやすい位置である。したがって、上記した本発明のＩＣタグ付き本のように、背の上部にＩＣタグ又はインレットを貼着してあれば、データの遣り取りを容易かつ確実に行うことができる。もちろん、本における背の上部という分かりやすい位置にあるので、ハンディタイプのリーダ／ライタにより、出庫時や棚卸し時におけるデータの読み取りも簡単に行うことができる。また、ハンディタイプのみならず、据置きタイプやゲート対応も可能であることは言うまでもない。
【００２５】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【図面の簡単な説明】
【００２６】
【図１】本発明に係るＩＣタグ付き本の一例を示す斜視図である。
【図２】図１の変形例を示す斜視図である。
【図３】本発明で使用するインレットの一例を示す平面図である。
【図４】本発明に係るＩＣタグ付き本の他の例を示す斜視図である。
【図５】本発明に係るＩＣタグ付き本の別のタイプの一例を示す斜視図である。
【図６】本発明に係るＩＣタグ付き本の別のタイプの一例を示す斜視図である。
【符号の説明】
【００２７】
１  平綴じ本
２  上製本
３  カバー
４  ケース
１０  インレット
１１  ＩＣチップ
１２  外部アンテナ
１３  ベースフィルム
１４  スリット
【図１】
2006305738.tif 000003
【図２】
2006305738.tif 000004
【図３】
2006305738.tif 000005
【図４】
2006305738.tif 000006
【図５】
2006305738.tif 000007
【図６】
2006305738.tif 000008